(57)【特許請求の範囲】
【請求項１】
半導電層と検電端子とが縁切りされて設けられた絶縁筒の外周を筒状に覆って取り付けられる検電カバーを取外す検電カバー取外し器であって、
前記絶縁筒と検電カバーとの間に挿入されて前記検電カバーとともに引き下げられる中空の筒状で側面が一部切欠かれて中空開口面の断面がＣ字状の本体部と、
前記本体部の挿入方向逆側端部につば状に広がる把持部と、を備えることを特徴とする検電カバー取外し器。
【請求項２】
前記把持部は、絶縁材によって構成されている、ことを特徴とする請求項１に記載の検電カバー取外し器。
【請求項３】
前記本体部は、前記絶縁筒と検電カバーとの間に挿入する先端の切欠き両側の角部が丸められている、ことを特徴とする請求項１および２のいずれか１項に記載の検電カバー取外し器。
【発明の詳細な説明】
【技術分野】
【０００１】
この発明は、半導電層と検電端子とが縁切りされて設けられた絶縁筒の外周を筒状に覆って取り付けられる検電カバーを取外す検電カバー取外し器に関する。
【背景技術】
【０００２】
従来、変圧器、開閉器などの路上機器に接続している電力ケーブル（以下、ケーブルと称す）の絶縁筒における検電端子での検電について、作業者が高圧ゴム手袋を着用して、検電カバーを上側にずらして検電を行っている。このような検電作業において、絶縁筒の外周を覆った軟質の検電カバーを上側にずらす場合、高圧ゴム手袋を着用して作業を行うため作業性が悪いという不具合があった。また、路上機器内の奥側や真ん中にあるケーブルを検電する場合には、手が入りにくくさらに時間と労力がかかる。また、半導電層と検電端子とにかぶらないように検電カバーをしっかり上側に上げて抑えないと、確実な検電が実施できないという不具合があった。
【０００３】
そこで、従来の検電カバーとして、絶縁筒の外周を筒状に覆う円筒状の一端部に金属リングが挿入され、この金属リングに二つの取手部が形成されて、作業時に、端部の取手部を把持して上側にずらすことで、容易にめくれて検電を行えるという構造の検電カバーが知られている（例えば、特許文献１参照。）。
【先行技術文献】
【特許文献】
【０００４】
【特許文献１】特開平８−５０１４３号公報
【発明の概要】
【発明が解決しようとする課題】
【０００５】
しかしながら、従来の検電カバーでは、絶縁筒の外周を覆う筒状の検電カバーを下端から摩擦に反して上側にまくり上げる作業になり、かつ絶縁筒の外周上部に検電カバーの上方ずれを防止する突起があるため、結果的に、半導電層と検電端子とにかぶらないように、しっかりまくり上げようとすると、両手でまくり上げて抑える作業が必要であった。
【０００６】
また、従来の検電カバーでは、路上機器内の奥側や真ん中にあるケーブルを検電する場合には、検電カバーの取手部を、手が入りにくい隙間から探し、かつ確認しながら上側にずらす必要があるため、時間と労力がかかるという不具合があった。
【０００７】
そこで、この発明は、検電カバーをゴムの摩擦を軽減して取外しでき、片手でも短時間で容易に取外せる検電カバー取外し器を提供することを目的としている。
【課題を解決するための手段】
【０００８】
前記の課題を解決するために、請求項１の発明は、半導電層と検電端子とが縁切りされて設けられた絶縁筒の外周を筒状に覆って取り付けられる検電カバーを取外す検電カバー取外し器であって、前記絶縁筒と検電カバーとの間に挿入されて前記検電カバーとともに引き下げられる中空の筒状で側面が一部切欠かれて中空開口面の断面がＣ字状の本体部と、前記本体部の挿入方向逆側端部につば状に広がる把持部と、を備えてなることを特徴とする検電カバー取外し器である。
【０００９】
この発明によれば、絶縁筒に接続されたケーブルに、本体部の切欠いた切欠きを開いて装着し、このケーブルの軸心方向に沿って本体部をスライドさせながら絶縁筒と検電カバーとの間に挿入させた後に、把持部を把持して検電カバーとともに挿入方向と逆方向に引き下げることで検電カバーが取外される。また、検電カバーを引き下げた状態で、把持部を把持して再び本体部を絶縁筒に押し上げることで、検電カバーがもとの位置に戻る。
【００１０】
請求項２の発明は、前記把持部が絶縁材によって構成されている、ことを特徴とする。
【００１１】
請求項３の発明は、前記本体部の前記絶縁筒と検電カバーとの間に挿入する先端の切欠き両側の角部が丸められている、ことを特徴とする。
【発明の効果】
【００１２】
請求項１に記載の発明によれば、本体部を絶縁筒と検電カバーとの間に挿入し、引き下げおよび押し上げるだけで、絶縁筒を覆う検電カバーを、容易に取外しおよび取り付けることが可能になる。また、絶縁筒と検電カバーとの間に本体部を介在させることで、従来のまくり上げる動作に比べて絶縁筒との摩擦を十分に軽減でき、容易に検電カバーの取外しおよび取り付けが可能になる。また、把持部を把持して引き下げおよび押し上げる簡単な作業なため、狭い作業空間で片手でも作業でき、手間と労力がかからず作業者の負担を軽減できる。
【００１３】
請求項２に記載の発明によれば、把持部が絶縁材によって構成されることで、作業者が直接手で把持して安全に作業することが可能になる。
【００１４】
請求項３に記載の発明によれば、本体部の絶縁筒と検電カバーとの間に挿入する先端の角部を丸めることにより、挿入時に絶縁筒と検電カバーとを傷つけず安全に作業することが可能になる。
【図面の簡単な説明】
【００１５】
【図１】この実施の形態に係る検電カバー取外し器を示す外観斜視図である。
【図２】図２は、図１の検電カバー取外し器を用いる絶縁筒を示す外観斜視図である。
【図３】図１の検電カバー取外し器により検電カバーを取外す前の状態を示す斜視図である。
【図４】図３の検電カバー取外し器を設置した状態を示す斜視図である。
【図５】図４の検電カバー取外し器を押し上げた状態を示す斜視図である。
【図６】図５の検電カバー取外し器で検電カバーを取外した状態を示す斜視図である。
【発明を実施するための形態】
【００１６】
以下、この発明を図示の実施の形態に基づいて説明する。
【００１７】
図１は、この実施の形態に係る検電カバー取外し器１を示す外観斜視図である。図１に示すように、本実施の形態に係る検電カバー取外し器１は、絶縁筒１０と検電カバー２０との間（図３参照）に下方から挿入されて検電カバー２０とともに引き下げられるように中空の筒状で側面が一部切欠かれて中空開口面の断面がＣ字状の本体部２と、この本体部２の挿入方向逆側端部につば状に広がる把持部３と、が一体に形成されている。
【００１８】
ここで、本体部２は、中空の筒状で当該中空の軸心方向に所定の長さに延びて形成され、この軸心方向で外周面が一部切欠かれて隙間Ａが形成され、この中空の開口面の断面がＣ字状断面になるように形成されている。また、本体部２は、絶縁性または導電性などの弾性を有した材質からなり、隙間Ａの幅を付勢させながら広げることが可能に形成されている。すなち、本体部２は、弾性を有して隙間Ａの幅を広げることで、後述する半導電層１０ａ、１０ｂと検電端子１０ｃとの間を縁切り（縁切り部分１０ｄにより縁切り）させてなる絶縁筒１０（図２参照）に、装着できるようになっている。
【００１９】
また、本体部２は、好ましくは、後述する絶縁筒１０と検電カバー２０との間に挿入されるため、この挿入される先端側の切欠き両側の角部２ａを、図１の点線で示したように丸めることで傷つかず挿入し易い形状にすることが望ましい。また、本体部２は、筒状に延びる軸心方向の高さが、例えば、検電カバー２０の高さに対して少なくとも５ｃｍ長く設けられることが作業性において最も好ましい。
【００２０】
一方、把持部３は、本体部２の前述した絶縁筒１０と検電カバー２０との間に挿入する挿入方向の逆側端部につば状に広がって、本体部２と一体に形成されている。この把持部３は、絶縁筒１０と検電カバー２０との間に挿入させる際、作業者が把持して作業しやすいように、つば状に広がって形成されており、好ましくは、絶縁材によって構成されることが望ましい。
【００２１】
ここで、この検電カバー取外し器１を用いる、路上機器内でケーブル１１（電力ケーブル）を接続している絶縁筒１０について、図２を参照して詳しく説明する。図２は、図１の検電カバー取外し器１を用いる絶縁筒１０を示す外観斜視図である。図２に示すように、絶縁筒１０には、導電性の軟質材からなる検電カバー２０が装着された通常の状態（図３参照）で設置されており、この検電カバー２０を装着した通常の状態において、検電カバー２０が上方にずれないように絶縁筒１０外周に突出する突起１０ｅが形成されている。また、絶縁筒１０には、筒状の外周部に所定の間隔をおいて上下に設けられた一対の半導電層１０ａ、１０ｂと、この半導電層１０ａ、１０ｂ間に介在されて区画する縁切り部分１０ｄと、この縁切り部分１０ｄの間に露出させて埋設された検電端子１０ｃと、を各々備えている。
【００２２】
そして、このケーブル１１においては、絶縁破壊事故を未然に防止するため、活線状態のままケーブル１１の誘電正接を測定することが行なわれている。すなわち、検電カバー２０を装着した通常の状態においては、導電性の検電カバー２０の上下端部がそれぞれ一対の半導電層１０ａ、１０ｂ間に接触して通電されていることから、当該検電カバー２０には電位が発生しないが、この検電カバー２０を取外すことで、絶縁筒１０本体の静電容量成分により検電端子１０ｃに電圧が誘起されることになる。そこで、図２に示したように、検電カバー２０を取外して検電端子１０ｃを露出させ、当該検電端子１０ｃから電圧信号を取込むことで検電されている。
【００２３】
このような構造において、従来のように検電カバー２０を上方にまくり上げると、導電性の軟質材（ゴム材）の摩擦により、まくり上げることが困難であり、かつ、図２に示した突起１０ｅが邪魔して検電作業に時間を要してしまう。そこで、本実施の形態では、検電カバー２０をまくり上げるのではなく、検電カバー取外し器１を絶縁筒１０と検電カバー２０との間に挿入させ、絶縁筒１０と検電カバー２０との摩擦を軽減させて引き下げることにより、検電カバー２０自体を容易に取外せるようにしたものである。
【００２４】
次に、このような本実施の形態による検電カバー取外し器１を用いた検電カバー２０の取外し動作を、図３〜６を参照して詳しく説明する。図３は、図１の検電カバー取外し器１により検電カバー２０を取外す前の状態を示す斜視図である。また、図４は、図３の検電カバー取外し器１を設置した状態を示す斜視図である。また、図５は、図４の検電カバー取外し器１を押し上げた状態を示す斜視図である。また、図６は、図５の検電カバー取外し器１で検電カバー２０を取外した状態を示す斜視図である。まず、図３に示すように、検電カバー取外し器１を絶縁筒２０の軸心方向に合わせて、本体部２の切欠かれた隙間Ａを広げることで、絶縁筒１０の下方に接続されたケーブル１１側から篏合するように装着させる。
【００２５】
そして、検電カバー取外し器１は、ケーブル１１の軸心方向に合わせて篏合されると、このケーブル１１の軸心方向上部の検電カバー２０下端まで、図４に示すように、スライドさせて検電カバー２０下端に、本体部２の先端が挿入されるように位置合わせする。この際、本体部２の先端は、図１の点線で示した角部２ａが丸められていると、検電カバー２０と絶縁筒１０との間にスムーズに挿入することが可能になる。
【００２６】
この検電カバー２０下端に本体部２の先端を位置合わせした後、本体部２下端の把持部３を作業者が把持して、検電カバー２０と絶縁筒１０との間に差し込むように押し上げることで本体部２を検電カバー２０内に挿入させる。この際、把持部３は、絶縁筒１０やケーブル１１の軸心方向に対して直交する外側方向に広がって形成されているため、作業者が把持しやすく、かつ片手でも本体部２を絶縁筒１０の軸心方向に沿って押し上げることができる。
【００２７】
このように、検電カバー取外し器１の本体部２を、検電カバー２０と絶縁筒１０との間に差し込むように押し上げると、図５に示すように、本体部２の先端が検電カバー２０の上端に露出して見える程度まで押し上げられる。ここで、本体部２は、検電カバー２０に対して上端に露出する程度まで押し上げることで、この露出した先端が絶縁筒１０の突起１０ｅ上部に載り上げて検電カバー２０を筒状外周の下方に下げることができ、後述する引き下げる際に筒状外周から外れることを防止できる。
【００２８】
最後に、検電カバー２０を本体部２の筒状外周に挿入させた後、作業者が検電カバー取外し器１の把持部３を把持して引き下げることで、図６に示すように、絶縁筒１０の検電端子１０ｃの位置から検電カバー２０を完全に取外す（引き下げる）ことが可能になる。ここで、検電カバー取外し器１を引き下げる場合、図５に示した把持部３を把持して隙間Ａの幅を左右に広げることで、絶縁筒１０との摩擦をより軽減することができ、容易に引き下げることができる。これにより絶縁筒１０の外周には、図６に示したように、検電端子１０ｃが露出して当該検電端子１０ｃから電圧信号を取込むことで検電作業を終了することができる。
【００２９】
なお、検電カバー２０を絶縁筒１０の検電端子１０ｃ位置に戻す場合、図６に示した取外した状態から、再び把持部３を把持して上方に押し上げることで、図５に示した引き下げ前の状態に戻り、この状態で作業者が検電カバー２０の上端を抑えて更に把持部３を把持して引き抜くことで、図３（または図４）に示した検電カバー２０の装着状態に戻すことができる。
【００３０】
以上のように、この検電カバー取外し器１によれば、本体部２を絶縁筒１０と検電カバー２０との間に挿入し、引き下げおよび押し上げるだけで、絶縁筒１０を覆う検電カバー２０を、容易に取外しおよび取り付けることが可能になる。また、絶縁筒１０と検電カバー２０との間に本体部２を介在させることで、従来のまくり上げる動作に比べて絶縁筒１０との摩擦を十分に軽減でき、容易に検電カバー２０の取外しおよび取り付けが可能になる。また、把持部３を把持して引き下げおよび押し上げる簡単な作業なため、狭い作業空間で片手でも作業でき、手間と労力がかからず作業者の負担を軽減できる。
【００３１】
また、本実施の形態によれば、把持部３が絶縁材によって構成されることで、作業者が直接手で把持して安全に作業することが可能になる。
【００３２】
さらに、本実施の形態によれば、本体部２の絶縁筒１０と検電カバー２０との間に挿入する先端の角部２ａを丸めることにより、挿入時に絶縁筒１０と検電カバー２０とを傷つけず安全に作業することが可能になる。
【００３３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、把持部３が本体部２下端からつば状に均等の長さで延びるように形成されているが、切欠いた隙間Ａを広げる際に把持する部位のみを長く延ばして把持しやすくしてもよい。
【符号の説明】
【００３４】
１      検電カバー取外し器
２      本体部
２ａ    角部
３      把持部
１０      絶縁筒
１０ａ    半導電層
１０ｂ    半導電層
１０ｃ    検電端子
１０ｄ    縁切り部分
１０ｅ    突起
１１      ケーブル
２０      検電カバー
Ａ      隙間
【図１】
0005746007.tif 000002
【図２】
0005746007.tif 000003
【図３】
0005746007.tif 000004
【図４】
0005746007.tif 000005
【図５】
0005746007.tif 000006
【図６】
0005746007.tif 000007